(57)【要約】【課題】  装飾部品を衣服等に直接接着・固定するような場合に、その位置を正確に、且つ、容易に決定することを可能にする装飾部品用配列定規を提供すること。【解決手段】  本発明による装飾部品用配列定規によると、裏表を備えた装飾部品に対して該装飾部品が表向きであれば位置決めを可能とし裏向きであれば位置決めを不可能とする所定の厚みを備えた定規本体と、上記定規本体に設けられ上記装飾部品の位置を決める位置決め部と、を具備した構成になっているので、装飾部品の位置決めが容易、且つ、確実なものとなり、それによって、作業性、作業効率の向上を図ることができる。【選択図】  図１
2005254707.tif 000002
【特許請求の範囲】
【請求項１】
裏表を備えた装飾部品に対して該装飾部品が表向きであれば位置決めを可能とし裏向きであれば位置決めを不可能とする所定の厚みを備えた定規本体と、
上記定規本体に設けられ上記装飾部品の位置を決める位置決め部と、
を具備したことを特徴とする装飾部品用配列定規。
【請求項２】
請求項１記載の装飾部品用配列定規において、
上記位置決め部は上記定規本体の縁部に形成された波型凹部であることを特徴とする装飾部品用配列定規。
【請求項３】
請求項１記載の装飾部品用配列定規において、
上記位置決め部は上記定規本体に形成され複数個の穴によって任意の形状に形成されたものであることを特徴とする装飾部品用配列定規。
【発明の詳細な説明】
【技術分野】
【０００１】
本発明は、ラインストーン等の装飾部品を、例えば、衣服等に接着・固定する際に使用する装飾部品用配列定規に係り、特に、装飾部品の裏表を区分けてして装飾部品が表向きの場合にのみその位置を決めて、衣服等への接着・固定作業を可能にするように工夫したものに関する。
【背景技術】
【０００２】
例えば、ラインストーンと称される装飾部品を衣服の任意の場所に溶着・固定して装飾することが行われている。この場合には次のような手順で行われる。まず、所定のポイントが記された紙があり、該紙のポイント上にラインストーンを載置・配列させる。次に、それらのラインストーンを粘着剤付フィルムに転移させる。次に、ラインストーンを接着・保持している上記粘着剤付フィルムを衣服の所定の場所に当てて熱圧着を施す。それによって、衣服に所定の装飾を施すことができる。
【０００３】
又、上記とは別の方法もある。まず、プレートがあり、該プレートには点字サイズの穴が開けられている。上記プレートの穴内にラインストーンを表向きにして嵌合させる。次に、それらのラインストーンを粘着剤付フィルムに転移させる。後は、上記した方法の場合と同様に、ラインストーンを接着・保持している上記粘着剤付フィルムを衣服の所定の場所に当てて熱圧着を施す。それによって、衣服に所定の装飾を施すことができる。
【０００４】
尚、同種の内容を開示するものとして、例えば、特許文献１がある。
【０００５】
【特許文献１】特開２００４−２７４１２号公報
【０００６】
又、何れの方法においても、ラインストーンを接着・保持している上記粘着剤付フィルムを衣服の所定の場所に当てて熱圧着を施す場合には、超音波接着機が使用される。この超音波接着機は、超音波発振器等からなる超音波接着機本体と、その超音波接着機本体に接続されたハンドピース等から構成されている。
【０００７】
上記ハンドピースは、円筒状のハンドピース本体と、このハンドピース本体の先端に取り付けられた超音波振動子等から構成されている。上記超音波振動子の先端にはホーンが取り付けられている。
【０００８】
上記構成において、接着・固定作業は次のようにして行われる。まず、作業員がハンドピースを把持してホーンの先端面をラインストーンを接着・保持している粘着剤付フィルムの所定個所に対向・配置させる。その状態でスイッチをオンすることにより該フィルムに接着・保持されているラインストーンを衣服の所定個所に接着・固定させるものである。
【発明の開示】
【発明が解決しようとする課題】
【０００９】
上記従来の構成によると次のような問題があった。
すなわち、従来の方法の場合は、複数個のラインストーンを整列させた後これを粘着テープやフィルムに転移し、それを衣服の上に載置して接着・固定するようにしており、粘着テープやフィルムに転移する分だけ余計な行程が入っていて、作業効率が悪いという問題があった。
そこで、そのような行程を省いて、ラインストーンを直接衣服上に接着・固定することが模索されている。この場合には、超音波接着機用ハンドピースの先端に取り付けられているホーンの先端に両面テープを貼り付け、該両面テープにラインストーンを接着・保持し、その状態で衣服の所定個所に接着・固定することが考えられる。
しかしながら、そのような方法によってラインストーンを衣服に直接接着・固定しようとした場合、その位置決めが困難であるという問題があった。すなわち、超音波接着機用ホーンの先端にラインストーンを接着・保持した状態でそれを衣服の所定位置に押し当てて接着・固定することになるが、その位置を正確に決める必要があり、その位置決めに困難を要してしまうものである。
【００１０】
本発明はこのような点に基づいてなされたものでその目的とするところは、装飾部品を衣服等に直接接着・固定するような場合に、その位置を正確に、且つ、容易に決定することを可能にする装飾部品用配列定規を提供することにある。
【課題を解決するための手段】
【００１１】
上記目的を達成するべく本願発明の請求項１による装飾部品用配列定規は、裏表を備えた装飾部品に対して該装飾部品が表向きであれば位置決めを可能とし裏向きであれば位置決めを不可能とする所定の厚みを備えた定規本体と、上記定規本体に設けられ上記装飾部品の位置を決める位置決め部と、を具備したことを特徴とするものである。
又、請求項２による装飾部品用配列定規は、請求項１記載の装飾部品用配列定規において、上記位置決め部は上記定規本体の縁部に形成された波型凹部であることを特徴とするものである。
又、請求項３による装飾部品用配列定規は、上記位置決め部は上記定規本体に形成され複数個の穴によって任意の形状に形成されたものであることを特徴とするものである。
【発明の効果】
【００１２】
以上述べたように本発明による装飾部品用配列定規によると、裏表を備えた装飾部品に対して該装飾部品が表向きであれば位置決めを可能とし裏向きであれば位置決めを不可能とする所定の厚みを備えた定規本体と、上記定規本体に設けられ上記装飾部品の位置を決める位置決め部と、を具備した構成になっているので、装飾部品の位置決めが容易、且つ、確実なものとなり、それによって、作業性、作業効率の向上を図ることができる。
【発明を実施するための最良の形態】
【００１３】
以下、図１乃至図４を参照して本発明の一実施の形態を説明する。図１は本実施の形態による装飾部品用配列定規としてのラインストーン用配列定規１の平面図である。このラインストーン用配列定規１は、いわゆる「雲形定規」のような形状をなしていて、その外周縁には位置決め部としての波型凹部３が形成されている。
【００１４】
上記ラインストーン用配列定規１は、様々な曲線に対応できるように様々な曲率の円弧を備えた形状をなしていて、任意の部分を使用することにより、所望の曲率の円弧に対応できるようになっている。又、ラインストーン用配列定規１の材質は、超音波接着・固定時に発生する熱によって変形し難いものが好ましく、例えば、厚紙の使用が考えられる。又、既に接着・固定してあるラインストーン５を確認しながら作業を行う関係上、透明又は半透明の材料を使用することも考えられる。具体的には、トレーシングペーパー等が考えられ、４０ｇ／ｍ２ないし５０ｇ／ｍ２の張り合わせトレーシングペーパが好適である。又、上記ラインストーン用配列定規１を作成する場合には、例えば、紙に描いた任意の図形を、いわゆる「ピンキングバサミ」と称される鋏によって切り抜けば良く、それによって、等間隔のギザギザ状の波型凹部３を得ることができる。
【００１５】
上記ラインストーン用配列定規１の厚みであるが、ラインストーン５が表向きであれば位置決めを可能とし裏向きであれば位置決めを不可能とする所定の厚みに設定されている。具体的には、図３、図４に示すように、ラインストーン５の高さに対して所定量だけ低くなるような厚みに設定されている。
尚、上記ラインストーン５は、図３、図４に示すように、山形形状をなしていて、図３に示す状態が表向きであり、これに対して、図４に示す状態が裏向きである。
【００１６】
又、本実施の形態による別の種類のラインストーン用配列定規７を図２に示す。このラインストーン用配列定規７は、略長方形をなしていて、その一辺には、図１に示したラインストーン用配列定規１の場合と同様の波型凹部９が形成されている。又、複数個の穴１３によって任意の形状に構成された位置決め部１１が複数種類設けられている。
【００１７】
この内、図２中上部に二列にわたって設けられた位置決め部１１は、視覚障害者用の点字に対応した位置決め部であり、６個の穴１３から構成されている。又、それ以外の位置決め部１１は、様々な形状を表していて、任意個数の穴１３から構成されているものである。
【００１８】
以上の構成を基にその作用を説明する。
まず、図３、図４に示すように、超音波接着機用ハンドピースに取り付けられたホーン２１の先端には両面テープ２３が接着されている。その状態でハンドピースを把持してラインストーン５を両面テープ２３によって接着・保持する。
【００１９】
一方、衣服２５上には本実施の形態によるラインストーン用配列定規１、又は７が設置されている。図３、図４に示す場合には、図２に示したラインストーン用配列定規７が設置されている。そして、ラインストーン用配列定規７に形成されている波型凹部９又は位置決め部１１を介して、接着・保持しているラインストーン５を位置決めする。例えば、図３、図４に示すように、位置決め部１１の穴１３内にラインストーン５を嵌め込むものである。それによって、ラインストーン５を位置決めして接着・固定するものである。
【００２０】
以下、同様の作業を繰り返すことにより、衣服２５上に所定の文様で複数個のラインストーン５を接着・固定していくものである。
【００２１】
次に、ラインストーン５が表向きになっている場合と裏向きになっている場合について説明する。殆どの場合には、両面テープ２３によってラインストーン５を接着・保持する段階で、例えば、視覚障害者の場合であっても、ラインストーン５を触った感覚で表裏を判別することができるので、ラインストーン５を裏向きで接着・保持することはない。
【００２２】
そして、表向きの場合には、図３に示すように、ラインストーン５が穴１３内に丁度嵌り込むことになるので、正確に位置決めされて、接着・固定される。これに対して、万一、ラインストーン５が裏向きになっている場合には、図４に示すように、穴１３内にてラインストーン５が遊んでしまうことになるので、位置を決めることができず、ラインストーン５が穴１３の縁を乗り越えてしまうので、裏向きであることが確認される。後は、表裏を反転させて作業をやり直せばよい。  
【００２３】
以上、本実施の形態によると次のような効果を奏することができる。すなわち、、裏表を備えたラインストーン５の位置決めが容易、且つ、確実なものとなり、それによって、接着・固定作業の作業性、作業効率の向上を図ることができる。これは、ラインストーン用配列定規１、７を使用するようにしたからであり、それによって、ラインストーン５の位置を容易、且つ、正確に決めることができるからである。
又、ラインストーン５の表裏の判別が可能になる。
【００２４】
尚、本発明は前記一実施の形態に限定されるものではない。
まず、装飾部品としてはラインストーンに限定されるものではなく、様々なものが想定される。
ラインストーン用配列定規の形状等についてはこれを特に限定するものではない。
その他、図示した各部の構成はあくまで一例である。
【産業上の利用可能性】
【００２５】
本発明は、ラインストーン等の装飾部品を、例えば、衣服等に接着・固定する際に使用する装飾部品用配列定規に係り、特に、装飾部品の裏表を区分けてして装飾部品が表向きの場合にのみその位置を決めて、衣服等への接着・固定作業を可能にするように工夫したものに関し、例えば、視覚障害者用の作業具として好適である。
【図面の簡単な説明】
【００２６】
【図１】本発明の一実施の形態を示す図で、ラインストーン用配列定規の平面図である。
【図２】本発明の一実施の形態を示す図で、ラインストーン用配列定規の平面図である。
【図３】本発明の一実施の形態を示す図で、超音波接着機のハンドピースを使用すると共にラインストーン用配列定規を使用して表向きのラインストーンを接着・固定している様子を示す断面図である。
【図４】本発明の一実施の形態を示す図で、超音波接着機のハンドピースを使用すると共にラインストーン用配列定規を使用して裏向きのラインストーンを接着・固定している様子を示す断面図である。
【符号の説明】
【００２７】
１  ラインストーン用配列定規
３  波型凹部
５  ラインストーン
７  ラインストーン用配列定規
９  波型凹部
１１  位置決め部
１３  穴
２１  ホーン
２３  両面テープ
２５  衣服
【図１】
2005254707.tif 000003
【図２】
2005254707.tif 000004
【図３】
2005254707.tif 000005
【図４】
2005254707.tif 000006